(57)【特許請求の範囲】
【請求項１】
写真フィルムの情報記録部に記録されている情報を読み取る読取手段と、
前記読取手段によって読み取られた情報に基づいて、前記写真フィルムに記録されているフィルム画像の中から同一の複写条件で複写すべき複数のフィルム画像を選択する選択手段と、
写真フィルムのフィルムベース濃度及び基準濃度値に基づいて、複写画像の濃度を制御する濃度制御量を決定する濃度制御量決定手段と、
多数のフィルム画像から求めた色バランス値に基づいて、複写画像の色を制御する色制御量を決定する色制御量決定手段と、
前記濃度制御量決定手段によって決定された濃度制御量及び前記色制御量決定手段によって決定された色制御量を用いて共通複写条件を演算する共通複写条件演算手段と、
前記選択手段によって選択された複数のフィルム画像を、前記共通複写条件演算手段によって演算された共通複写条件で各々複写する複写制御手段と、
を含む複写装置。
【請求項２】
前記濃度制御量決定手段は、前記写真フィルムのフィルムベース濃度として、フィルム画像の複写を行う写真フィルムを測光して求めた値を用いるか、又は該写真フィルムと同一のフィルム種の複数の写真フィルムを測光して求めた値を用いることを特徴とする請求項１記載の複写装置。
【請求項３】
前記濃度制御量決定手段は、前記選択手段によって選択された複数のフィルム画像の中から予め定めた条件に合致する特定フィルム画像を更に選択し、選択した特定フィルム画像を測光して求めた前記特定フィルム画像の濃度値から前記基準濃度値を求めることを特徴とする請求項１記載の複写装置。
【請求項４】
前記色制御量決定手段は、前記色バランス値として、フィルム画像の複写を行う写真フィルムと同一フィルム種の写真フィルムに記録された多数のフィルム画像を測光して求めた色バランス値を用いることを特徴とする請求項１記載の複写装置。
【請求項５】
前記共通複写条件演算手段は、フィルム画像の撮影時に露出を補正したことを表す情報が前記情報記録部に記録されていた場合には、該情報が表すフィルム画像撮影時の露出補正量に従って共通複写条件を修正することを特徴とする請求項１記載の複写装置。
【請求項６】
前記複写制御手段は、同一の複写条件で複写すべき複数のフィルム画像のうち濃度が極端に高い又は低いフィルム画像については、前記フィルム画像の濃度に応じて共通複写条件を修正し、該修正した共通複写条件で複写することを特徴とする請求項１記載の複写装置。
【請求項７】
写真フィルムの情報記録部に記録されている情報を読み取り、
前記情報記録部から読み取った情報に基づいて、前記写真フィルムに記録されているフィルム画像の中から同一の複写条件で複写すべき複数のフィルム画像を選択し、
写真フィルムのフィルムベース濃度及び基準濃度値に基づく濃度制御量と、複数のフィルム画像から求めた色バランス値に基づく色制御量を用いて、前記選択した複数のフィルム画像に共通に用いる複写条件を決定する
複写条件決定方法。
【請求項８】
前記色制御量として、フィルム画像の複写を行う写真フィルムと同一フィルム種の写真フィルムに記録された多数のフィルム画像を測光して求めた色バランス値に基づく色制御量を用いることを特徴とする請求項７記載の複写条件決定方法。
【発明の詳細な説明】
【０００１】
【発明の属する技術分野】
本発明は複写装置及び複写条件決定方法に係り、特に、情報記録部を備えた写真フィルムに記録されている画像に対する複写条件を決定する複写条件決定方法、及び該複写条件決定方法を適用可能な複写装置に関する。
【０００２】
【従来の技術】
最近、透明な磁気材料が塗布されて磁気記録層が形成された写真フィルム（以下、ＡＰＳフィルムと称する）が普及してきている。ＡＰＳフィルムの磁気記録層には、例えば撮影時の露出等の撮影条件を表す情報等がカメラによって記録されるので、ラボ側で、磁気記録層に記録された撮影条件を表す情報等に基づいてフィルム画像に対する露光量を決定して写真プリントを作成することにより、撮影条件等に応じた高品質の写真プリントを得ることができる。また、ＡＰＳフィルムの磁気記録層には、例えばプリントアスペクト比やプリント枚数等のように、ラボに対する様々な指示を記録することも可能であり、前記様々な指示を磁気記録層を介してラボに伝達することも可能となっている。
【０００３】
ところで、ＡＰＳフィルムの磁気記録層には、ユーザによってＦＴＰＭ（Fixed Time Printing Method）信号が磁気記録される場合がある。ＦＴＰＭ信号は、ＡＰＳフィルムに記録されている全画像を同一の露光量で露光することをラボに対して指示する信号である。ＦＴＰＭ信号は、例えばＡＰＳフィルムに記録された全画像が、身分証明書に貼付する人物写真や、商品サンプルの写真等のように、写真プリントの仕上りが一定であることが求められる画像である場合や、リバーサルフィルムの撮影のように撮影の意図によって写真撮影時の露出量を故意に変更する場合等に、ユーザによりカメラ等を介して磁気記録層に記録される。
【０００４】
ＡＰＳフィルムの磁気記録層にＦＴＰＭ信号が記録されていた場合、ラボではＡＰＳフィルムに記録されている全画像を同一の露光量で複写材料に露光して写真プリントを作成する。しかしながら、ＦＴＰＭ信号によってＡＰＳフィルムの全画像を同一の露光量で露光することが指示された場合に、全画像から各々適正な仕上りの写真プリントを作成するために、全画像に対する露光量を具体的にどのようにして決定すればよいかについては、明らかとはなっていなかった。
【０００５】
同一の露光量での露光が指示された各画像に対する露光制御方法として、一般的に考えられるのは、予め固定的に定めた露光量により各画像を一定時間で露光する、所謂タイマー露光である。
【０００６】
このタイマー露光では、各画像の主要部や背景部の濃度等に拘らず同一露光量で各画像を露光するので、各画像から作成した各写真プリントの仕上りが各画像の主要部や背景部の濃度等によってばらつくことはない（所謂被写体依存性がない）が、各画像を測光し各画像の平均濃度に基づいて各画像毎に露光量を決定する通常の露光制御方式と比較して、写真フィルムの感度のばらつきや写真フィルムの現像処理のばらつきが露光量に反映されず、これらのばらつきが補正されないので、適正な仕上りの写真プリントの得率が非常に低いという問題がある。
【０００７】
上記に関連して特開平4-319933号公報には、複数個の測光素子で測光して露出を決定する機能を有するカメラによって写真フィルムに撮影記録された画像を焼付けるにあたり、複数の画像コマを測光し、全画像コマの測光値の平均値に基づいて焼付露光量を求め、求めた焼付露光量で前記複数の画像コマを焼付ける写真焼付方法が記載されている。また特開平6-160996号公報には、写真フィルムに記録されている画像を撮影条件に応じてグループ分けし、各グループ毎の測光値（濃度値）の平均値に基づいて、同一のグループに分類した画像を同一又は類似の露光量で焼付ける写真焼付方法が開示されている。
【０００８】
また、特開平4-352148号公報には、複数個の測光素子で測光し合焦時に露出を決定する機能を有するカメラによって写真フィルムに撮影記録された画像を焼付けるにあたり、合焦させた測距エリアを主要被写体が存在するエリアとし、複数の画像コマについて前記エリアを測光し測光値の平均値に基づいて焼付露光量を求め、求めた焼付露光量で複数の画像コマを印画紙に焼付ける写真焼付方法が開示されている。
【０００９】
上記公報に記載の技術では、何れも、高精度に露出を決定することができるカメラで撮影された画像の測光値の平均値に基づいて焼付露光量を求めている。
【００１０】
また特開平 5-72647号公報、特開平 5-72648号公報、特開平 5-72649号公報、特開平5-127270号公報、特開平6-167756号公報には、適正な露出を決定することが可能なカメラで撮影したフィルムの複数の画像コマを測光して全画像の測光値の平均値に対する各画像コマの画像濃度、又は撮影条件から求めた露光補正量に基づいて焼付露光量を決定する方法が記載されている。
【００１１】
また、特開平6-208178号公報には、自動的に露出を決定する機能を有するカメラで撮影された複数の画像コマに共通したプリント濃度調整量と、前記画像コマの測光値により各画像コマ毎に定まる色バランス調整量と、に基づいて焼付露光量を決定する方法が記載されている。
【００１２】
このように、写真フィルムに記録されている全画像、或いはカメラの露出精度や測距精度を識別して選択した全ての画像に対し、各画像の測光値の平均値に基づいて各画像に共通の露光量を決定したり、前記共通の露光量に対して更に各種の補正を行って各画像の露光量を決定することは従来より提案されている。
【００１３】
【発明が解決しようとする課題】
しかしながら、ＦＴＰＭ信号によって同一露光量での露光が指示された複数の画像に対し、上記のように全ての画像の測光値の平均値（濃度値の平均値）に基づいて共通の露光量を決定して露光したとすると、撮影時にカメラによって決定された露出が正確であったとしても、全て又は大多数の画像が比較的明るい背景下で撮影された画像であった場合には、各画像から得られる写真プリントは全て濃度の高い画像となり、全て又は大多数の画像が比較的暗い背景下で撮影された画像（例えば夜景を撮影した画像等）であった場合には、各画像から得られる写真プリントは全て濃度の低い画像となる、所謂濃度フェリアが発生する。また、背景が特定の色に偏倚していた場合にはカラーフェリアも発生する。
【００１４】
また、各画像の測光値の平均値に基づいて共通の露光量を決定する方式では、例えば同一露光量での露光が指示された複数の画像が、撮影者がハイライトの画像部を再現するために意図的に露出アンダで撮影した画像であったとしても、写真プリントの画面平均濃度が略一定となるように共通の露光量が決定されることにより、撮影者の意図に合致した仕上りの写真プリントが得られないという問題がある。これは、撮影者が意図的に露出オーバで撮影した場合にも同様に生ずる問題である。
【００１５】
また、ＡＰＳフィルムの磁気記録層には、ユーザによってシリーズシーン信号が記録される場合もある。シリーズシーン信号は、ＡＰＳフィルムに記録されている画像のうち特定の複数の画像を同一の露光量で露光することを指示する信号である。上記で説明したように、ＦＴＰＭ信号によって同一露光量での露光が指示された各画像から適正な仕上りの写真プリントを高い得率で得ることが困難である、という問題は、シリーズシーン信号によって同一露光量での露光が指示された特定の複数の画像についても同様に生ずる問題である。
【００１６】
本発明は上記事実を考慮して成されたもので、同一の複写条件での複写が指示された複数の画像から適正な仕上りの複写画像を高い得率で得ることができる複写装置及び複写条件決定方法を得ることが目的である。
【００１７】
【課題を解決するための手段】
上記目的を達成するために請求項１記載の発明に係る複写装置は、写真フィルムの情報記録部に記録されている情報を読み取る読取手段と、前記読取手段によって読み取られた情報に基づいて、前記写真フィルムに記録されているフィルム画像の中から同一の複写条件で複写すべき複数のフィルム画像を選択する選択手段と、写真フィルムのフィルムベース濃度及び基準濃度値に基づいて、複写画像の濃度を制御する濃度制御量を決定する濃度制御量決定手段と、複数のフィルム画像から求めた色バランス値に基づいて、複写画像の色を制御する色制御量を決定する色制御量決定手段と、前記濃度制御量決定手段によって決定された濃度制御量及び前記色制御量決定手段によって決定された色制御量を用いて共通複写条件を演算する共通複写条件演算手段と、前記選択手段によって選択された複数のフィルム画像を、前記共通複写条件演算手段によって演算された共通複写条件で各々複写する複写制御手段と、を含んで構成している。
【００１８】
請求項１記載の発明では、読取手段が写真フィルムの情報記録部に記録されている情報を読み取り、前記読み取られた情報に基づいて、同一の複写条件で複写すべき複数のフィルム画像を選択手段が選択する。なお、情報記録部は写真フィルム自体に設けられていてもよいし、論理的に写真フィルムと１対１で対応しているのであれば、写真フィルムと別体（例えばメモリカード、フロッピーディスク等）であってもよく、磁気的に情報が記録されるものであっても、光学的に情報が記録されるものであってもよい。また、情報記録部に記録される情報はＦＴＰＭ信号やシリーズシーン信号であってもよいし、撮影時の撮影倍率、被写体輝度等を表す撮影情報であってもよい。選択手段では、例えばＦＴＰＭ信号やシリーズシーン信号によって指定された複数のフィルム画像、或いは撮影情報等に基づき類似画像と判断できる複数のフィルム画像を、同一の複写条件で複写すべき画像として選択する。
【００１９】
また、濃度制御量決定手段は写真フィルムのフィルムベース濃度及び基準濃度値に基づいて複写画像の濃度を制御する濃度制御量を決定する。写真フィルムのフィルムベース濃度としては、例えば請求項２に記載したように、フィルム画像の複写を行う写真フィルムを測光して求めた値を用いるか、又は該写真フィルムと同一のフィルム種の複数の写真フィルムを測光して求めた値を用いることができる。
【００２０】
例えばフィルムベース濃度として、フィルム画像の複写を行う写真フィルムと同一のフィルム種の複数の写真フィルムを測光して求めた値を用いた場合には、濃度制御量として、フィルム種毎のフィルムベース濃度の相違に起因する複写画像の濃度の変動を補正できる制御量を得ることができる。
【００２１】
また、写真フィルムのフィルムベースの濃度は、厳密には写真フィルムを現像した際の現像条件によって変化するが、フィルムベース濃度として、前述のようにフィルム画像の複写を行う写真フィルムを測光して求めた値を用いた場合には、濃度制御量として、フィルム種毎のフィルムベース濃度の相違に起因する複写画像の濃度の変動に加えて、写真フィルムを現像した際の現像条件の変動によるフィルムベース濃度の変動に起因する複写画像の濃度の変動も補正できる制御量を得ることができる。
【００２２】
また、基準濃度値としては、例えば予め定められた一定値を用いることができる。基準濃度値として予め定められた一定値を用いた場合、同一の複写条件で複写すべき複数のフィルム画像の中に、どのような画像内容のフィルム画像がどの程度の割合で含まれているかと無関係に濃度制御量が決定されることになるので、濃度制御量として、複写画像に濃度フェリアが生ずることを防止し、かつ複写画像の濃度が撮影者の意図に合致した濃度となるように制御できる制御量を得ることができる。
【００２３】
また、基準濃度値は複写を行うフィルム画像から求めてもよい。この場合は請求項３に記載したように、選択手段によって選択された複数のフィルム画像の中から予め定めた条件に合致する特定フィルム画像を更に選択し、選択した特定フィルム画像を測光して求めた特定フィルム画像の濃度値から基準濃度値を求めて用いることが好ましい。予め定めた条件としては、例えばフィルム画像の画面平均濃度が所定範囲内に収まっているか否か、或いはフィルム画像中の主要部と背景部の濃度差が所定範囲内に収まっているか否か等の条件を用いることができる。
【００２４】
これにより、例えば画面平均濃度が所定範囲から外れている等のように濃度が非常に高い又は非常に低い画像や、主要部と背景部の濃度が著しく異なっている等のように濃度フェリアが生じ易い画像、すなわち複写画像の濃度を適正に制御できる濃度値が得られる確率が低いと推定されるフィルム画像を除外した特定フィルム画像の濃度値（例えば全画面平均濃度やフィルム画像中の主要部の濃度等）のみを用いて基準濃度値を求めることができるので、濃度制御量として、複写画像に濃度フェリア等が生ずることなく複写画像の濃度を適正に制御できる制御量を得ることができる。
【００２５】
更に、写真フィルムの製造時又は写真フィルム現像前に、一定のパターン画像（例えばグレイに相当する色味の一定濃度の画像）を写真フィルムの特定位置、例えば写真フィルムの先頭や末尾に予め焼き込んでおき、複写条件決定時に、前記パターン画像を測光して得られた濃度を基準濃度値として用いるようにしてもよい。
【００２６】
一方、色制御量決定手段は、複数のフィルム画像から求めた色バランス値に基づいて、複写画像の色を制御する色制御量を決定する。色バランス値としては、例えば請求項４に記載したように、フィルム画像の複写を行う写真フィルムと同一フィルム種の写真フィルムに記録された多数のフィルム画像を測光して求めた色バランス値を用いることができる。これにより、色制御量として、フィルム種毎に異なる色バランスに応じて複写画像の色バランスを補正する制御量を得ることができる。また複写すべきフィルム画像がカラーフェリアの生じ易い画像であったとしても、色制御量はこの影響を受けないので、複写画像にカラーフェリアが生ずることを防止できると共に、撮影光源の色をそのまま再現することができる。
【００２７】
なお、色バランス値は上記に限定されるものではなく、例えば複写を行う複数のフィルム画像を測光し該複数のフィルム画像の色バランス値の平均値を求めて用いてもよいし、前記複数のフィルム画像の中から前述の予め定めた条件に合致する特定フィルム画像を更に選択し該選択した特定フィルム画像を測光し該特定フィルム画像の色バランス値を求めて用いてもよい。但し、特に上記のように複写を行うフィルム画像から色バランス値を求める場合には、カラーフェリアの影響を除去するために、フィルム画像中の高彩度の領域を除いた領域から色バランス値を求めることが望ましい。
【００２８】
共通複写条件演算手段では、上記のようにして決定された濃度制御量及び色制御量を用いて共通複写条件を演算するので、共通複写条件として、フィルム種等によって異なるフィルムベース濃度や色バランスに応じて補正された複写条件が得られると共に、同一の複写条件での複写が指示された複数の画像中にどのような画像内容の画像がどの程度の割合で含まれているかに応じて共通複写条件が変化することを抑制することができる。そして複写制御手段では、選択手段によって選択された複数のフィルム画像を、共通複写条件演算手段によって演算された共通複写条件で各々複写するので、同一の複写条件での複写が指示された複数の画像から、濃度フェリアやカラーフェリアが発生することなく、かつ撮影者の意図に合致した適正な仕上りの複写画像を高い得率で得ることができる。
【００２９】
ところで、写真フィルムへの画像の撮影記録にあたっては、例えば写真フィルムの感度の補正等を目的として、撮影者が露出を補正する場合があるが、このように撮影時に露出が補正されたフィルム画像に対し、単にフィルム画像の濃度、色味に基づいて複写条件を求めたとすると、撮影時に露出を補正した撮影者の意図が複写画像の仕上りに反映されない可能性が高い。
【００３０】
これに対し請求項５に記載したように、フィルム画像の撮影時に露出を補正したことを表す情報が写真フィルムの情報記録部に記録されていた場合には、該情報が表すフィルム画像撮影時の露出補正量に従って共通複写条件を修正するようにすれば、撮影時に露出が補正されたフィルム画像からも、撮影者の意図に合致した仕上りの複写画像を高い得率で得ることができる。
【００３１】
また、同一の複写条件で複写すべき複数のフィルム画像の中に濃度が極端に高い又は低いフィルム画像が含まれていた場合、該フィルム画像を共通複写条件で複写したとすると、複写画像の濃度が許容限界を越えて極端に高い又は低い値となることがあるが、このような複写画像が撮影者の意図した仕上りであるとは考えにくく、濃度が極端に高い又は低いフィルム画像については、フィルム画像の濃度に応じた複写条件を用いて複写した方が、複写画像の仕上りが撮影者が意図した仕上りに近い仕上りとなる可能性が高い。
【００３２】
上記を考慮すると請求項６に記載したように、同一の複写条件で複写すべき複数のフィルム画像のうち濃度が極端に高い又は低いフィルム画像については、前記フィルム画像の濃度に応じて共通複写条件を修正し、該修正した共通複写条件で複写することが好ましい。これにより、同一の複写条件で複写すべき複数のフィルム画像中に濃度が極端に高い又は低いフィルム画像が含まれている場合であっても、適正な仕上りの複写画像を高い得率で得ることができる。
【００３３】
請求項７記載の発明に係る複写条件決定方法は、写真フィルムの情報記録部に記録されている情報を読み取り、前記情報記録部から読み取った情報に基づいて、前記写真フィルムに記録されているフィルム画像の中から同一の複写条件で複写すべき複数のフィルム画像を選択し、写真フィルムのフィルムベース濃度及び基準濃度値に基づく濃度制御量と、複数のフィルム画像から求めた色バランス値に基づく色制御量を用いて、前記選択した複数のフィルム画像に共通に用いる複写条件を決定するので、同一の複写条件で複写条件で複写すべき複数のフィルム画像を前記決定した共通複写条件で複写することにより、請求項１の発明と同様に、同一複写条件での複写が指示された複数の画像から適正な仕上りの複写画像を高い得率で得ることができる。
【００３４】
請求項８記載の発明は、色制御量として、フィルム画像の複写を行う写真フィルムと同一フィルム種の写真フィルムに記録された多数のフィルム画像を測光して求めた色バランス値に基づく色制御量を用いるので、請求項４の発明と同様に、色制御量として、フィルム種毎に異なる色バランスに応じて複写画像の色バランスを補正する制御量を得ることができ、複写画像にカラーフェリアが生ずることを防止できると共に、撮影光源の色をそのまま再現することができる。
【００３５】
【発明の実施の形態】
以下、図面を参照して本発明の実施形態の一例を詳細に説明する。
【００３６】
〔第１実施形態〕
図１には本発明の複写装置としての写真焼付装置１０が示されている。写真焼付装置１０は、ネガフィルムＮに記録された画像を焼付けるための露光光を射出する光源１２を備えている。光源１２の光射出側には、露光光路に対し互いに独立に進退移動可能なＣ（シアン）、Ｍ（マゼンダ）、Ｙ（イエロー）の３枚のフィルタから成る色補正フィルタ１４、色補正フィルタ１４を透過した光を拡散する拡散ボックス１６が順に配置されている。色補正フィルタ１４はドライバ５０を介して制御装置８６の入出力ポート８６Ｅに接続されており、制御装置８６によって３枚のフィルタの移動が各々制御される。
【００３７】
また、拡散ボックス１６の上方側にはネガフィルムＮの搬送路が形成されており、光源１２の光軸から若干離間した位置には、ネガフィルムＮを搬送する搬送ローラ対１８が設けられている。搬送ローラ対１８はモータ５２の駆動軸に連結されており、モータ５２の駆動力が伝達されることにより回転し、ネガフィルムＮを搬送する。モータ５２はドライバ５４を介して制御装置８６の入出力ポート８６Ｅに接続されており、制御装置８６によって駆動が制御される。また拡散ボックス１６の上方側には、光源１２の光軸に一致する位置にネガマスク２０が配置されている。
【００３８】
本実施形態に係る写真焼付装置１０には、ネガフィルムＮとして、フィルムの乳剤層形成面と反対側の面に全面に亘って透明な磁性材料が塗布されて磁気層が形成され、図２に示すように、画像記録範囲外に情報を磁気記録するための磁気トラック９８（本発明の情報記録部に相当）が形成されたネガフィルム１００がセットされる。
【００３９】
ネガフィルム１００の磁気トラック９８には、フィルム種を表す情報が予め磁気記録されている。また磁気トラック９８には、カメラによる画像の撮影記録時に、カメラによって、被写体輝度、撮影倍率、ストロボ発光条件、撮影日時、撮影時刻等の撮影情報、前記カメラを識別する情報が磁気記録される。更に磁気トラック９８には、ネガフィルム１００に撮影記録した画像中に、同一露光量で露光すべき画像が存在している場合には、カメラを介してユーザによって、ＦＴＰＭ信号又はシリーズシーン信号（詳細は後述）が磁気トラック９８に磁気記録される。
【００４０】
また、ネガマスク２０を挟んでネガフィルムＮの搬送路に沿った両側には、ネガフィルム１００の磁気トラック９８に対応して読取ヘッド２２及び書込ヘッド２４が配置されている。なお、読取ヘッド２２は本発明の読取手段に対応している。読取ヘッド２２は増幅器５８、アナログ−デジタル変換器（以下、Ａ／Ｄ変換器という）６０を介して制御装置８６の入出力ポート８６Ｅに接続されており、ネガフィルム１００の磁気トラック９８に磁気記録された情報を読み取ることによって読取ヘッド２２から出力された信号は、増幅器５８で増幅され、Ａ／Ｄ変換器６０でデジタルデータに変換されて制御装置８６に入力される。
【００４１】
また、書込ヘッド２４は増幅器６２、デジタル−アナログ変換器（以下、Ｄ／Ａ変換器という）６４を介して制御装置８６の入出力ポート８６Ｅに接続されている。制御装置８６から、ネガフィルム１００の磁気トラック９８に書込むべき情報が出力されると、該情報がＤ／Ａ変換器６４によってアナログ信号に変換され、増幅器６２によって増幅された後に書込ヘッド２４に供給されることにより、前記情報が磁気トラック９８に磁気記録される。
【００４２】
ネガマスク２０の上方には、ネガフィルムＮを透過した光を２方向に分配する分配用プリズム２６が配置されている。分配用プリズム２６によって２方向に分配された一方の光の光軸（露光光軸）上には、露光レンズ２８、ブラックシャッタ３０が順に配置されている。ブラックシャッタ３０はドライバ６８を介して制御装置８６の入出力ポート８６Ｅに接続されており、制御装置８６によって開閉が制御される。
【００４３】
ブラックシャッタ３０の上方には印画紙Ｐの搬送路が形成されており、露光光軸から若干離間した位置には、印画紙Ｐを搬送する搬送ローラ対３２が設けられている。搬送ローラ対３２はモータ７０の駆動軸に連結されており、モータ７０の駆動力が伝達されることにより回転し、印画紙Ｐを搬送する。モータ７０はドライバ７２を介して制御装置８６の入出力ポート８６Ｅに接続されており、制御装置８６によって駆動が制御される。ブラックシャッタ３０の上方でかつ露光光軸に一致する位置にはペーパマスク３４が配置されている。
【００４４】
また、分配用プリズム２６によって分配された他方の光が射出される側には、分配用プリズム２６から入射された光を更に２方向に分配する分配用プリズム３６が配置されており、分配用プリズム３６によって分配された一方の光の光軸上には、測光手段としての結像レンズ３８、測光器４０が順に配置されている。
【００４５】
測光器４０はマトリクス状に配列された多数の受光素子を備えている。測光器４０の受光面には、ネガフィルムＮ上の画像記録領域を透過した光が入射され、ネガフィルムＮを多数個に分割しＲ、Ｇ、Ｂの各成分色に分解して測光する。測光器４０は増幅器７８、Ａ／Ｄ変換器８０を介して制御装置８６の入出力ポート８６Ｅに接続されており、測光器４０から出力された測光結果を表す信号は、増幅器７８で増幅され、Ａ／Ｄ変換器８０でデジタルデータに変換されて制御装置８６に入力される。
【００４６】
分配用プリズム３６によって分配された他方の光の光軸上には、結像レンズ４２、撮像用ＣＣＤセンサ４４が順に配置されている。撮像用ＣＣＤセンサ４４にはネガフィルムＮの画像記録領域を透過した光が入射され、ネガフィルムＮ上の画像記録領域を多数画素に分割し、各画素をＲ、Ｇ、Ｂの各成分色に分解して撮像する。撮像用ＣＣＤセンサ４４は増幅器８２、Ａ／Ｄ変換器８４を介して制御装置８６の入出力ポート８６Ｅに接続されており、撮像用ＣＣＤセンサ４４から出力された撮像信号は、増幅器８２で増幅され、Ａ／Ｄ変換器８４でデジタルデータに変換されて制御装置８６に入力される。
【００４７】
制御装置８６は、ＣＰＵ８６Ａ、ＲＯＭ８６Ｂ、ＲＡＭ８６Ｃ、不揮発性メモリ８６Ｄ及び入出力ポート８６Ｅを備えており、これらがバスを介して互いに接続されて構成されている。入出力ポート８６Ｅには、ＬＣＤ又はＣＲＴから成るディスプレイ８８と、オペレータが各種情報を入力するためのテンキー等のキーボード９０と、が接続されている。なお、不揮発性メモリ８６Ｄとしては、例えばＥＥＰＲＯＭやバックアップ電源に接続されたＲＡＭ等を適用可能である。
【００４８】
次に本第１実施形態の作用として、写真焼付装置１０にネガフィルム１００がセットされると制御装置８６のＣＰＵ８６Ａで実行される写真焼付処理について、図３のフローチャートを参照して説明する。
【００４９】
ステップ２００ではモータ５２を介して搬送ローラ対１８を駆動し、ネガフィルム１００を所定方向に搬送すると共に、ネガフィルム１００の磁気トラック９８に磁気記録されている情報を読取ヘッド２２によって読み取る。読取ヘッド２２によって読み取られた情報は、増幅器５８、Ａ／Ｄ変換器６０を介してデジタルデータに変換されて制御装置８６に入力され、制御装置８６のＲＡＭ８６Ｃ等に記憶される。
【００５０】
次のステップ２０２では、光源１２を点灯させると共にモータ５２を介して搬送ローラ対１８を駆動し、ネガフィルム１００を所定方向と逆方向に搬送する。ステップ２０４では、測光位置（光源１２の光軸に一致する位置）にネガ画像が到達したか否か判定する。判定が否定された場合にはステップ２０２へ戻り、ネガフィルム１００の搬送を継続する。ステップ２０４の判定が肯定されると、ステップ２０６でネガフィルム１００の搬送を停止し、ネガ画像を測光位置に位置決めする。
【００５１】
ステップ２０８では、測光位置に位置決めしたネガ画像を測光器４０によって測光し、測光器４０から増幅器７８、Ａ／Ｄ変換器８０を介して入力されるデータを、ネガ画像の各画素毎の濃度値を表す測光データに変換し、ＲＡＭ８６Ｃ等に記憶する。ステップ２１０では、ネガフィルム１００の全てのネガ画像が測光位置を通過したか否か判定する。判定が否定された場合にはステップ２０２へ戻り、未測光のネガ画像に対する位置決め、測光を繰り返す。ネガフィルム１００の全てのネガ画像に対する測光を完了してステップ２１０の判定が肯定されると、ステップ２１２へ移行する。
【００５２】
ステップ２１２では、ステップ２００で磁気トラック９８から読み取った情報に基づいて、ネガフィルム１００に記録されている各ネガ画像の中に、同一露光量で露光すべきネガ画像が有るか否か判定する。この判定は、例えば以下のようにして行うことができる。
【００５３】
すなわち、ユーザが、ネガフィルム１００に記録されている全てのネガ画像を同一露光量で露光することを所望している場合、ユーザによって磁気トラック９８にＦＴＰＭ信号が磁気記録される。このため、磁気トラック９８から読み取った情報にＦＴＰＭ信号が含まれていた場合には、同一露光量で露光すべきネガ画像が有ると判断する（ステップ２１２の判定が肯定）と共に、ネガフィルム１００の全てのネガ画像を、同一露光量で露光すべきネガ画像と判断する。
【００５４】
またユーザが、ネガフィルム１００に記録されているネガ画像のうちの一部（一連のネガ画像）を同一露光量で露光することを所望している場合、ユーザによって磁気トラック９８に、前記一連のネガ画像の先頭及び末尾の画像に対応してシリーズシーン信号が磁気記録される。このため、磁気トラック９８から読み取った情報にシリーズシーン信号が含まれていた場合には、同一露光量で露光すべきネガ画像が有ると判断する（ステップ２１２の判定が肯定）と共に、シリーズシーン信号の記録位置より判断できる一連のネガ画像を、同一露光量で露光すべきネガ画像と判断する。
【００５５】
更に、磁気トラック９８にＦＴＰＭ信号やシリーズシーン信号等の指示信号が磁気記録されていない場合であっても、磁気トラック９８に磁気記録されている撮影情報等の他の情報に基づいて、同一露光量で露光すべきネガ画像が有るか否かを自動的に判定することも可能である。
【００５６】
例えば１本のネガフィルムに、撮影時刻の差が小さく、ストロボ発光条件、撮影倍率、被写体輝度等が同一又は近似している複数の画像が存在していた場合、これらの画像は類似のシーンを撮影した画像、すなわち同一露光量で露光すべき画像である可能性が非常に高い。また、ステップ２０８におけるネガ画像に対する測光によって得られた測光データより求まるネガ画像の画像特徴量（例えば画面平均濃度等）が近似していた場合には、同一露光量で露光すべきネガ画像である確度は更に高いと判断できる。
【００５７】
上記のように、ネガフィルム１００に記録されている各ネガ画像の撮影条件や画像特徴量を比較し、これらが近似しているネガ画像が複数存在していた場合に、同一露光量で露光すべきネガ画像が有ると判断し（ステップ２１２の判定が肯定）、撮影条件や画像特徴量が近似している複数のネガ画像を、同一露光量で露光すべきネガ画像と判断するようにしてもよい。なおステップ２１２において、同一露光量で露光すべきネガ画像が有ると判断した場合の、同一露光量で露光すべきネガ画像の選択は、本発明の選択手段に対応している。
【００５８】
ステップ２１２の判定が肯定された場合にはステップ２１６へ移行し、ネガフィルム１００の側縁のＤＸコードが記録されている部位を測光器４０が測光した結果に基づいてＤＸコードの内容を判断し、ネガフィルム１００のフィルム種を検知する。
【００５９】
次のステップ２１８では、ネガフィルム１００のフィルムベース濃度ＤBASEを検知する。具体的には、例えば測光器４０によってネガフィルム上の非画像部（例えばネガフィルムの側縁部、ネガ画像の間の部分等）を測光し、測光結果から求まる非画像部の濃度（又は非画像部の多数箇所の濃度の平均値）をフィルムベース濃度ＤBASEとしてもよいし、測光器４０によってネガフィルム１００上の全面（画像部及び非画像部を含む）を測光し、測光結果から求まるネガフィルム上の各部分の濃度の最小値をフィルムベース濃度ＤBASEとしてもよい。また、ネガフィルム上の各部分の濃度値のうち、素抜け部に相当すると推定される範囲に属する濃度値の平均値をフィルムベース濃度ＤBASEとしてもよい。
【００６０】
ネガフィルムのフィルムベース濃度は、ネガフィルムを現像した際の現像条件によって変動することが知られているが、上記のように、ネガ画像の露光を行うネガフィルムからフィルムベース濃度を検知するようにすれば、フィルムベース濃度ＤBASEとして、ネガ画像の露光を行うネガフィルムを現像した際の現像条件を反映した値を得ることができる。
【００６１】
また、多数本のネガフィルムに亘って上記のようにしてフィルムベース濃度を検知すると共に、検知したフィルムベース濃度をフィルム種と対応させて不揮発性メモリ８６Ｄ等に記憶・蓄積していき、ステップ２１６で検知したフィルム種と同一フィルム種の多数本のネガフィルムのフィルムベース濃度の平均値、又は該平均値とネガ画像の露光を行うネガフィルムから検知したフィルムベース濃度との重み付け平均値をフィルムベース濃度ＤBASEとしてもよい。この場合、フィルムベース濃度ＤBASEとして、ネガ画像の露光を行うネガフィルムを現像した際の現像条件を反映した値が得られるとは限らないが、フィルム種毎に異なるフィルムベース濃度の値を精度良く得ることができる。
【００６２】
次のステップ２２０では、予め定められた基準濃度値ＤREF を取込み、ステップ２１８で検知したフィルムベース濃度ＤBASEに基準濃度値ＤREF を加算することにより濃度制御量ＤＸを演算・決定する（次の（１）式参照）。なお、基準濃度値ＤREF としては、例えば多数のネガ画像の平均的な濃度値（但し、フィルムベース濃度を含まない値）を用いることができる。また、各ネガフィルムの先頭或いは末尾等に、一定のパターン画像（例えばグレイに相当する色味の一定濃度の画像）を写真フィルムの特定位置、例えば写真フィルムの先頭や末尾に予め焼き込んでおき、前記パターン画像を測光して得られた濃度を基準濃度値ＤREF として用いてもよい。ステップ２１６〜２２０は本発明の濃度制御量決定手段に対応している。
【００６３】
ＤＸ＝ＤBASE＋ＤREF                                     …（１）
一方、本実施形態では多数のネガ画像について色バランス値を各々求め、多数のネガ画像の平均的な色バランスを表す色バランス値ＣＭj （ｊはＲ、Ｇ、Ｂの何れかを表す）として、各ネガ画像の色バランス値の平均値をフィルム種毎に各々予め求めており、該色バランス値ＣＭj がフィルム種毎に不揮発性メモリ８６Ｄに予め記憶されている。次のステップ２２２では、ステップ２１６で検知したフィルム種と同一フィルム種の色バランス値ＣＭj を不揮発性メモリ８６Ｄから取り込むと共に、露光を行う複数のネガ画像（同一露光量で露光すべきネガ画像のみであっても、個別露光量で露光を行うネガ画像を含んでいてもよい）の色バランス値を各々求め、露光を行う各ネガ画像の平均的な色バランスを表す色バランス値Ｃｍj を演算する。
【００６４】
そして、色制御量ＤＹj （ｊはＲ、Ｇ、Ｂの何れかを表す）として、露光を行う各ネガ画像の平均的な色バランス値Ｃｍj と、不揮発性メモリ８６Ｄから取り込んだ多数のネガ画像の平均的な色バランスを表す色バランス値ＣＭj と、の重み付け平均値を演算する（次の（２）式参照）。なお、色バランス値Ｃｍj 、ＣＭj は、各々ネガ画像中の高彩度の画素を除いた画素から各々求めることが好ましい。
【００６５】
ＤＹj ＝α1 ・Ｃｍj ＋α2 ・ＣＭj                       …（２）
なお、（２）式において、重み係数α1 及びα2 の何れか一方の値は０であってもよいし、条件に応じて変更する（例えば同一露光量で露光すべきネガ画像の数が少なくなるに従って、多数のネガ画像の平均的な色バランス値ＣＭj の重みを大きくする（重み係数α2 の値を大きくする))ようにしてもよい。また、色制御量ＤＹj として、色バランス値Ｃｍj 及び色バランス値ＣＭj の何れか一方を用いても良いし、同一露光量で露光すべきネガ画像の中から所定の基準に従って選択したネガ画像から求めた色バランス値を用いてもよい。
また、１本のネガフィルムのネガ画像のデータ又は同一フィルム種の多数のネガフィルムのデータから、例として図４に示すように、Ｒ、Ｇ、Ｂの各成分色毎の濃度の関係（カラーバランス）を表す規格化曲線（図４は、例としてＧ濃度の平均値Ｄｇを基準とし、濃度ＤｇとＲ濃度の平均値Ｄｒ及びＢ濃度の平均値Ｄｂとの関係を表す規格化曲線を示しているが、３色平均濃度Ｄｍや３色の重み付き平均濃度を基準とする規格化曲線を用いてもよい）を求め、同一露光量で露光すべき各ネガ画像のＧ濃度の平均値Ｄｇ又は３色平均濃度Ｄｍ又は３色の重み付き平均濃度から規格化曲線を用いて色制御量ＤＹj を求めるようにしてもよい。
【００６６】
例えば図４に示す規格化曲線を用いた場合には、濃度Ｄｇから濃度Ｄｒ及び濃度Ｄｂを各々求め、次の（３）式に従って規格化濃度値ＤＲ、ＤＧ、ＤＢを求めることができる。なお（３）式における濃度Ｄｒｇ、Ｄｂｇは色制御量ＤＹj に対応している。また、濃度制御量ＤＸとして、（３）式における濃度値Ｄｗを用いてもよい。
【００６７】
【数１】
0003645384.tif 000002
【００６８】
上述したステップ２２２は本発明の色制御量決定手段に対応している。次のステップ２２４では、上記で演算された濃度制御量ＤＸ及び色制御量ＤＹj に基づき、次の（４）式に従って共通露光量Ｅ0 j を演算し、得られた共通露光量Ｅ0 j をＲＡＭ８６Ｃ等に記憶する。
【００６９】
ｌｏｇＥ0 j ＝ＤＸ＋ＤＹj ＋Ｋj                         …（４）
但し、Ｋj は印画紙Ｐの種類、写真焼付装置の種類、引伸し倍率、光源１２から射出される露光光の光量等に応じて定まる定数である。このステップ２２４は本発明の共通複写条件演算手段に対応している。
【００７０】
ステップ２２６では個別露光量で露光すべきネガ画像が有るか否か判定する。判定が否定された場合にはステップ２７０へ移行するが、判定が肯定された場合にはステップ２２８へ移行し、個別露光量で露光すべきネガ画像の画面平均濃度等に基づいて、個別露光量で露光すべき各ネガ画像に対する個別露光量Ｅj を各々演算し、ＲＡＭ８６Ｃ等に記憶した後にステップ２７０へ移行する。
【００７１】
一方、ステップ２１２において、ネガフィルム１００に同一露光量で露光すべきネガ画像が無いと判断された場合（ステップ２１２の判定が否定された場合）には、ステップ２１４でネガフィルム１００の全てのネガ画像に対し、先のステップ２２８と同様にして個別露光量を各々演算した後にステップ２７０へ移行する。
【００７２】
ステップ２７０ではネガフィルム１００を所定方向に搬送し、ステップ２７２ではネガ画像が露光位置（光源１２の光軸に一致する位置：測光位置と同一位置）に到達したか否か判定する。判定が否定された場合にはステップ２７０に戻り、ネガフィルム１００の搬送を継続する。ネガ画像が露光位置に到達するとステップ２７２の判定が肯定され、ステップ２７４でネガフィルム１００の搬送を停止する。
【００７３】
次のステップ２７６では、露光位置に位置決めしたネガ画像が、同一露光量で露光すべきネガ画像か否か判定する。判定が肯定された場合にはステップ２７８へ移行し、色補正フィルタ１４及びブラックシャッタ３０の作動を制御して、露光位置に位置決めしたネガ画像を先のステップ２２０で演算した共通露光量Ｅ0 j で印画紙Ｐに焼付けた後にステップ２８２へ移行する。このステップ２７８は本発明の複写制御手段に対応している。
【００７４】
また、ステップ２７６の判定が否定された場合には、色補正フィルタ１４及びブラックシャッタ３０の作動を制御して、露光位置に位置決めしたネガ画像を先のステップ２１４又はステップ２２８で演算した該ネガ画像に対応する個別露光量Ｅj で印画紙Ｐに焼付けた後に、ステップ２８２へ移行する。
【００７５】
ステップ２８２では、ネガフィルム１００に記録されている全てのネガ画像が露光位置を通過したか、すなわち全てのネガ画像に対して印画紙Ｐへの焼付けを行ったか否か判定する。判定が否定された場合にはステップ２７０へ戻り、全てのネガ画像を印画紙Ｐに焼付ける迄の間、ステップ２７０〜２８２を繰り返す。全てのネガ画像を印画紙Ｐに焼付けると、ステップ２８２の判定が肯定されてステップ２８４へ移行し、ネガフィルム１００を所定方向と逆方向に搬送した後に処理を終了する。
【００７６】
このように、本第１実施形態では、同一露光量で露光すべき複数のネガ画像に対し、フィルムベース濃度ＤBASEに基準濃度値ＤREF を加算して得られる濃度制御量ＤＸと、露光を行う複数のネガ画像の平均的な色バランスと同一フィルム種のネガフィルムに記録されている多数のネガ画像の平均的な色バランスとの重み付け平均値である色制御量ＤＹj と、に基づいて共通露光量Ｅ0 j を演算し、該共通露光量Ｅ0 j で前記複数のネガ画像を印画紙Ｐに露光するようにしたので、同一露光量で露光すべき複数のネガ画像から、濃度フェリアが生ずることなく、かつ撮影者の意図を反映した適正な仕上りの写真プリント画像を高い得率で得ることができる。
【００７７】
なお、上述した第１実施形態では基準濃度値ＤREF を一定としており、同一露光量で露光すべき複数のネガ画像に対して各種のばらつきを無視して共通露光量Ｅ0 ｊを決定する態様を説明したが、以下の第２実施形態以降では、フィルム画像の画像特徴量や撮影情報等に基づき、各種のばらつきの一部に対して補正を行って共通露光量Ｅ0 ｊを決定する態様について説明する。
【００７８】
〔第２実施形態〕
次に本発明の第２実施形態について説明する。なお、本第２実施形態は第１実施形態と同一の構成であるので、各部分に同一の符号を付して構成の説明を省略し、以下、本第２実施形態の作用を説明する。
【００７９】
本第２実施形態では、第１実施形態で説明した図３のフローチャートのステップ２１６〜２２４の処理（共通露光量演算処理）に代えて、図５に示す共通露光量演算処理を行う。すなわち、ステップ３００、３０２では、図３のフローチャートのステップ２１６、２１８と同様にしてフィルム種の検知、フィルムベース濃度ＤBASEを取得する。
【００８０】
ステップ３０４では、同一露光量で露光すべき複数のネガ画像に対し、平均濃度値Ｄｍを各々演算する。ステップ３０６では、同一露光量で露光すべき複数のネガ画像の中から、平均濃度値に対する判定を未だ行っていないネガ画像の平均濃度値Ｄｍを取り出し、次のステップ３０８では平均濃度値Ｄｍが所定範囲内に収まっているか否か判定する。この所定範囲としては、例えば次の（５）式のように定めることができる。
【００８１】
（基準値ＤN −0.07）＜Ｄｍ＜（基準値ＤN ＋0.07）        …（５）
（５）式における基準値ＤN はネガ濃度の基準値であり、例として、予め定めたネガフィルムに予め定めたカメラによって１８％のグレイ板を撮影したときのネガ濃度を用いることができる。なお、ネガ画像上での0.07の濃度変化は、カメラの露出量の所謂１／３絞り分の変化に相当し、同一露光量で露光したとすると写真プリント画像上で濃度が２０％変化する。
【００８２】
ステップ３０８の判定が肯定された場合にはステップ３１０へ移行し、取り出した平均濃度値ＤｍをＲＡＭ８６Ｃ等に記憶してステップ３１２へ移行する。ステップ３１２では共通露光量で露光すべき全てのネガ画像に対して平均濃度値Ｄｍの判定を完了したか否か判定する。判定が否定された場合にはステップ３０６に戻り、ステップ３０６以降の処理を繰り返す。また、ステップ３０８の判定が否定された場合には、判定した平均濃度値Ｄｍに対応するネガ画像は、濃度が極端に高い又は低い異常コマであると判断できるので、平均濃度値Ｄｍを記憶することなくステップ３０６に戻り、ステップ３０６以降の処理を繰り返す。
【００８３】
同一露光量で露光すべき全てのネガ画像に対して上記処理を行うと、ステップ３１２の判定が肯定されてステップ３１４へ移行し、平均濃度値Ｄｍが所定範囲内に収まっているネガ画像の数が２個以上か否か（先のステップ３１０で記憶した平均濃度値Ｄｍの個数が２個以上か否か）判定する。判定が肯定された場合にはステップ３１６へ移行し、基準濃度値ＤREF として、先のステップ３１０で記憶した平均濃度値Ｄｍの平均値を演算し、得られた基準濃度値ＤREF とステップ３０２で取得したフィルムベース濃度ＤBASEを先の（１）式に代入して濃度制御量ＤＸを演算した後にステップ３２０へ移行する。上記処理は請求項３に記載の濃度制御量決定手段に対応している。
【００８４】
また、ステップ３１４の判定が否定された場合にはステップ３１８へ移行し、基準濃度値ＤREF として、第１実施形態と同様に予め定められた一定値（例えば多数のネガ画像の平均的な濃度値）を取込み、取り込んだ基準濃度値ＤREF とステップ３０２で取得したフィルムベース濃度ＤBASEを先の（１）式に代入して濃度制御量ＤＸを演算した後に、ステップ３２０へ移行する。
【００８５】
ステップ３２０では、第１実施形態のステップ２２２と同様に（２）式に従って色制御量ＤＹj を決定し、ステップ３２２では、第１実施形態のステップ２２４と同様に（４）式に従って共通露光量Ｅ0 j を演算する。そして、同一露光量で露光すべき複数のネガ画像を共通露光量Ｅ0 j で各々露光する。
【００８６】
このように、第２実施形態では、同一露光量で露光すべき複数のネガ画像に対し、平均濃度値Ｄｍが所定範囲内に収まっているネガ画像が有るか否かを判定し、平均濃度値Ｄｍが所定範囲内に収まっているネガ画像が２個以上存在していた場合には、該ネガ画像の平均濃度値Ｄｍの平均値を基準濃度値ＤREF として濃度制御量ＤＸを求めて共通露光量Ｅ0 j を演算し、該共通露光量Ｅ0 j で前記複数のネガ画像を印画紙Ｐに露光するようにしたので、同一露光量で露光すべき複数のネガ画像から、濃度フェリアが生ずることなく、かつ撮影者の意図を反映した適正な仕上りの写真プリント画像を高い得率で得ることができる。
【００８７】
なお、上記では同一露光量で露光すべき複数のネガ画像の中から、濃度制御量ＤＸの演算に用いるネガ画像を選択し、選択したネガ画像の平均濃度値Ｄｍの平均値を用いて濃度制御量ＤＸを演算するようにしていたが、これに限定されるものではなく、同一露光量で露光すべき複数のネガ画像の各々の平均濃度値Ｄｍの重み付き平均値を用いて濃度制御量ＤＸを演算するようにしてもよい。この場合、各ネガ画像の平均濃度値Ｄｍに対する重み係数は、所定範囲内に収まっている平均濃度値Ｄｍの重みが大きくなり、平均濃度値Ｄｍが所定範囲内から外れた値になるに従って平均濃度値の重みが小さくなるように定めることができる。
【００８８】
〔第３実施形態〕
次に本発明の第３実施形態について説明する。なお、本第３実施形態は第１実施形態及び第２実施形態と同一の構成であるので、各部分に同一の符号を付して構成の説明を省略し、以下、本第３実施形態の作用を説明する。
【００８９】
本第３実施形態では、第１実施形態で説明した図３のフローチャートのステップ２１６〜２２４の処理（共通露光量演算処理）に代えて、図６に示す共通露光量演算処理を行う。以下では、本第３実施形態に係る共通露光量演算処理について、第２実施形態で説明した共通露光量演算処理と異なる点についてのみ説明する。
【００９０】
本第３実施形態に係る共通露光量演算処理では、フィルム種を検知し（ステップ３００）、フィルムベース濃度ＤBASEを取得し（ステップ３０２）、同一露光量で露光すべき複数のネガ画像の平均濃度値Ｄｍを各々演算し（ステップ３０４）た後に、ステップ３０６で、同一露光量で露光すべき複数のネガ画像の中から、平均濃度値に対する判定を未だ行っていないネガ画像の平均濃度値Ｄｍを取り出し、次のステップ３０７では平均濃度値Ｄｍが濃度制御量演算対象範囲内に収まっているか否か判定する。この濃度制御量演算対象範囲は、撮影者によって意図的に露出量が変更されて撮影記録されたネガ画像が除外されるように定めることができ、例えば次の（６）式のように定めることができる。
【００９１】
（基準値ＤN −0.04）＜Ｄｍ＜（基準値ＤN ＋0.04）        …（６）
ネガ画像上での0.04の濃度変化は、カメラの露出量の所謂１／５絞り分の変化に相当する。撮影者による意図的な露出量の変更による濃度変化は、一般に（６）式で定めている範囲以上の変化であるので、ステップ３０７の判定が肯定された場合にはステップ３１０へ移行し、取り出した平均濃度値Ｄｍを濃度制御量ＤＸの演算に用いるためにＲＡＭ８６Ｃ等に記憶してステップ３１２へ移行する。平均濃度値Ｄｍが濃度制御量演算対象範囲内に収まっているネガ画像、すなわち基準値ＤN に対し濃度変化がカメラの露出量で１／５絞り以下に収まっているネガ画像は、撮影者によって意図的に露出量が変更されて撮影されたネガ画像である可能性は低く、該ネガ画像の平均濃度値Ｄｍを用いて濃度制御量ＤＸを求めることにより、濃度制御量ＤＸとして、ネガフィルムの特性や現像時の現像条件等のばらつきを補正できる制御量を得ることができる。
【００９２】
一方、ステップ３０７の判定が否定された場合にはステップ３３０へ移行し、平均濃度値Ｄｍが異常値の範囲内か否か判定する。この異常値の範囲としては、撮影者による意図的な露出量の変更による濃度変化の限界を越えた値が異常値と判定されるように定めることができ、例えば次の（７）式のように定めることができる。
【００９３】
Ｄｍ＞（基準値ＤN ＋0.10），Ｄｍ＜（基準値ＤN −0.10）  …（７）
ステップ３３０は、請求項６に記載の「濃度が極端に高い又は低いフィルム画像」の有無の判定に相当している。カメラの露出量を所謂１／２絞り分変化させたとすると、ネガ画像の濃度はおよそ0.10変化し、一定露光量で露光したとすると写真プリント画像の濃度はおよそ0.30変化する。適正な写真プリント画像の濃度に対する0.30の濃度変化は、写真プリント画像における許容限界に近い濃度変化である。このため、ステップ３３０の判定が肯定された場合には、取り込んだ平均濃度値Ｄｍを異常値としてＲＡＭ８６Ｃ等に記憶すると共に、平均濃度値Ｄｍが異常値であると判断したネガ画像を識別する情報（例えばコマ番号）もＲＡＭ８６Ｃ等に記憶し、ステップ３１２へ移行する。また、ステップ３３０の判定が否定された場合には、何ら処理を行うことなくステップ３１２へ移行する。
【００９４】
ステップ３１２では共通露光量で露光すべき全てのネガ画像に対し、上述した平均濃度値Ｄｍの判定を完了したか否か判定する。判定が否定された場合にはステップ３０６に戻り、ステップ３０６以降の処理を繰り返す。同一露光量で露光すべき全てのネガ画像に対して上記処理を行うとステップ３１４へ移行し、ステップ３１４〜３２２で第２実施形態と同様に共通露光量Ｅ0 j を演算する。
【００９５】
次のステップ３２４では、異常コマ（先のステップ３３０で平均濃度値Ｄｍが異常値の範囲内であると判定したネガ画像）に対する露光量の演算が終了したか否か判定する。この判定は異常コマが無い場合には肯定されるが、異常コマが有った場合には判定が否定されてステップ３２６へ移行し、ステップ３２２で記憶した平均濃度値の中から特定の異常コマの平均濃度値Ｄｍを取り出し、次のステップ３２８では、取り出した特定の異常コマの平均濃度値Ｄｍと基準値ＤN との差に応じて共通露光量Ｅ0 j の濃度制御量ＤＸを修正することにより、前記特定異常コマの個別露光量Ｅj を演算する。そして、演算した個別露光量Ｅj をＲＡＭ８６Ｃ等に記憶する。
【００９６】
ステップ３２８の処理を行うとステップ３２４へ戻り、ステップ３２４の判定が肯定される迄ステップ３２４〜３２８を繰り返す。これらの処理は請求項６に記載の複写制御手段に対応している。これにより、先のステップ３３０で平均濃度値Ｄｍが異常値の範囲内であると判定した各ネガ画像に対し、写真プリント画像の濃度が適正な値となるように個別露光量Ｅj が各々演算されることになる。ステップ３２４の判定が肯定されると、本第３実施形態に係る共通露光量演算処理を終了する。
【００９７】
本第３実施形態では、同一露光量で露光すべき複数のネガ画像のうち、平均濃度値Ｄｍが異常値の範囲から外れているネガ画像については、ステップ３２２で演算した共通露光量Ｅ0 j で露光を行うので、同一露光量で露光すべきと判定した複数のネガ画像から、ネガフィルムの特性や現像時の現像条件等のばらつきが補正され、かつ撮影者の意図が反映された適正な仕上りの写真プリント画像を高い得率で得ることができる。
【００９８】
また、異常コマ（平均濃度値Ｄｍが異常値の範囲内のネガ画像）については、ステップ３２８で各ネガ画像の平均濃度値Ｄｍに基づいて各ネガ画像毎に演算した個別露光量Ｅj で露光を行うので、同一露光量で露光すべきと判定した複数のネガ画像の中に、意図的な露出量の変更による濃度変化の限界を越えた極端に濃度が高い又は低いネガ画像が含まれていた場合にも、該ネガ画像から濃度が適正な写真プリント画像を得ることができる。
【００９９】
なお、上記では平均濃度値Ｄｍが異常値の範囲内（基準値ＤN よりも所定濃度((７）式では0.10）以上高いか又は低い）と判定したネガ画像に対し、平均濃度値Ｄｍと基準値ＤN との差に応じて共通露光量Ｅ0 j の濃度制御量ＤＸを修正することによって個別露光量Ｅj を求めていたが、これに代えて、平均濃度値Ｄｍが異常値の範囲内と判定したネガ画像については、平均濃度値Ｄｍとして一定値を設定して個別露光量Ｅj を求めるようにしてもよい。例えばＤｍ≧ＤN ＋0.10の場合はＤｍ＝ＤN ＋0.10とし、Ｄｍ≦ＤN −0.10の場合はＤｍ＝ＤN −0.10とする。この場合、ネガ濃度の基準値ＤN に対し平均濃度値Ｄｍがカメラの露出量で所謂１／２絞り分以上異なっているネガ画像については、基準値ＤN ±0.10分だけ共通露光量Ｅ0 j が修正されて個別露光量Ｅj が求められ、該個別露光量Ｅj で露光されることになる。
【０１００】
また、平均濃度値Ｄｍが異常値の範囲内と判定したネガ画像について、平均濃度値Ｄｍとして濃度値の重み付け平均値を設定して個別露光量Ｅj を求めるようにしてもよい。例えば、平均濃度値Ｄｍが、Ｄｍ≧ＤN ＋0.07のネガ画像については次の（８）式に従って平均濃度値Ｄｍを演算し、Ｄｍ≦ＤN −0.07のネガ画像については次の（９）式に従って平均濃度値Ｄｍを演算する。
【０１０１】
Ｄｍ＝ＤN ＋0.07＋ｋ（Ｄｍ−（ＤN ＋0.07))              …（８）
Ｄｍ＝ＤN −0.07−ｋ（Ｄｍ−（ＤN ＋0.07))              …（９）
但し、ｋは係数でｋ≦1.0 である。
【０１０２】
〔第４実施形態〕
次に本発明の第４実施形態について説明する。なお、本第４実施形態は第１実施形態乃至第３実施形態と同一の構成であるので、各部分に同一の符号を付して構成の説明を省略し、以下、本第４実施形態の作用として、本第４実施形態に係る共通露光量演算処理について、図７のフローチャートを参照して説明する。
【０１０３】
ステップ３５０では、第１実施形態で説明した図３のフローチャートのステップ２１６〜２２４、或いは第２実施形態や第３実施形態で説明した共通露光量演算処理と同様にして共通露光量Ｅ0 j の演算を行う。次のステップ３５２では、ネガフィルム１００の磁気トラック９８に露出バイアス信号が記録されているか否か判定する。露出バイアス信号は、撮影者によって露出が補正（変更）されてネガフィルム１００に画像が撮影記録された場合に磁気トラック９８に記録される信号であり、露出がどの程度補正されたかを表している。
【０１０４】
ステップ３５２の判定が肯定された場合にはステップ３５４へ移行し、磁気トラック９８に記録されている露出バイアス信号に基づいて、先のステップ３５０で演算した共通露光量Ｅ0 j を修正する必要が有るか否か判定し、判定が肯定された場合にはステップ３５６で共通露光量Ｅ0 j の修正を行う。
【０１０５】
露出補正は、撮影画像濃度を意図的に変更する目的で行われる。露出を多くすれば、露出オーバーになり、全体的に若干明るいプリント画像（所謂ハイキーなプリント画像）を得ることができる。また、露出を少なくし、露出アンダーにすることによって、より暗いプリント画像を得ることができる。露出バイアス信号より検知できる露出補正量が、同一露光量で露光すべき各ネガ画像で一定であった場合にはステップ３５４の判定が肯定され、ステップ３５６で撮影記録時の露出補正量に応じて共通露光量Ｅ0 j を修正する。本実施形態では、0.07×露出バイアス量（１絞り分の変化を1.0 とする）でもって平均濃度値Ｄｍを補正することによって共通露光量Ｅ0 ｊを得ることができる。
【０１０６】
また露出は、逆光等のシーンの撮影記録時に濃度補正を行うために画像単位で補正される場合もある。ステップ３５４において、上記のように露出補正の有無及び露出補正量が画像単位で異なっていた場合には、露出バイアス信号に基づいて同一露光量で露光すべき複数のネガ画像の各々を撮影記録した際の露出補正量を各々検知する。そして、検知した各ネガ画像毎の露出補正量に基づいて、同一露光量で露光すべき複数のネガ画像から適正な仕上りの写真プリント画像を最も高い得率で得るためには、共通露光量Ｅ0 j の修正を行った方が良いか否かを判定する。この判定は、例えば同一露光量で露光すべき複数のネガ画像中に含まれている露出が補正されて撮影記録されたネガ画像の割合、露出が補正されて撮影記録されたネガ画像に対する露出補正の方向及び補正量の大きさに基づいて行うことができる。
【０１０７】
上記判定が肯定された場合には、ステップ３５６において、前記検知した各ネガ画像毎の露出量の変更量に基づき、同一露光量で露光すべき複数のネガ画像から適正な仕上りの写真プリント画像を最も高い得率で得るための共通露光量Ｅ0 j に対する修正量を演算し、演算した修正量で共通露光量Ｅ0 j を修正する。ステップ３５６で上記のように共通露光量Ｅ0 j を修正した場合には、同一露光量で露光すべき各ネガ画像に対し、撮影記録時の露出量の変更量に応じて修正した共通露光量Ｅ0 j で露光が行われるので、撮影者の意図を反映した仕上りの写真プリント画像を高い得率で得ることができる。
【０１０８】
一方、ステップ３５２又はステップ３５４の判定が否定された場合には共通露光量演算処理を終了する。この場合は共通露光量Ｅ0 j としてステップ３５０で演算した共通露光量が用いられる。
【０１０９】
なお、第２実施形態及び第３実施形態では、ネガ画像の平均濃度値Ｄｍが所定範囲内に収まっているか否かに基づいて濃度制御量ＤＸの演算に用いる特定ネガ画像を選択するようにした例を説明したが、本発明はこれに限定されるものではない。一般に各ネガ画像に対する個別露光量は、ネガ画像の画面平均濃度等に基づいて求まる基本露光量と、該基本露光量に対する露光補正量との和として演算される。露光補正量は写真プリント中の主要部に相当する領域が適正な濃度及び色となるように基本露光量を補正するための補正量であり、露光補正量による補正量は、ネガ画像中の主要部の濃度や色バランスと、ネガ画像の全体的な濃度や色バランスと、の偏差が大きくなるに従って大きくなり、濃度フェリアやカラーフェリアのない標準的なシーンを撮影記録したネガ画像では、露光補正量による補正量が０又は０に近い値となる。従って露光補正量を演算し、演算した露光補正量による補正量が０又は０に近いネガ画像を、濃度制御量ＤＸ又は共通露光量Ｅ0 j の演算に用いる特定ネガ画像として選択するようにしてもよい。
【０１１０】
上記の選択方法によれば、ネガフィルムに記録されているネガ画像が、同一シーンに対し露出を段階的に変更して撮影する、所謂ブラケット露光により撮影記録されたネガ画像であった等の場合に、共通露光量の演算に用いる特定ネガ画像として、明らかに露出アンダのネガ画像や、明らかに露出オーバのネガ画像を除外して選択することができる。
【０１１１】
露光補正量の演算には、具体的には、特開昭52-23936号公報や特開昭54-28131号公報に記載されているように、ネガ画像を表す画像データより主要部に相当する領域と相関の高い画像特徴量として、濃度の最大値、最小値、測光領域全面の平均濃度、ネガ画像の中心部の平均濃度、ネガ画像の周縁部の平均濃度、ネガ画像の各画素の濃度差等を演算し、演算した画像特徴量に基づいて露光補正量を統計的に決定する演算方法を適用することができる。また、ネガ画像中の濃度が最大の部分又はハイライト部又はシャドー部が、写真プリント上で適正な濃度及び色となるように露光補正量を演算するようにしてもよい。
【０１１２】
また、ネガ画像中の主要部に相当する領域（例えばネガ画像中に存在する人物の顔に相当する顔領域）を抽出し、該領域の写真プリント上における濃度及び色が適正となるように露光補正量を演算するようにしてもよい。顔領域の抽出方法として、例えば特開昭 52-156624号公報、特開昭 52-156625号公報、特開昭53-12330号公報、特開昭 53-145620号公報、特開昭 53-145621号公報、特開昭 53-145622号公報等に記載されているように、ネガ画像の測光によって得られた測光データに基づき、各画素が色座標上で肌色の範囲内に含まれているか否か判定し、肌色の範囲内と判断した画素のクラスタ（群）が存在している領域を顔領域として抽出することができる。
【０１１３】
また、特開平4-346333号公報に記載されているように、ネガ画像の測光によって得られた測光データに基づいて色相値（及び彩度値）についてのヒストグラムを求め、求めたヒストグラムを山毎に分割し、各画素点が分割した山の何れに属するかを判断して各画素を分割した山に対応する群に分け、各群毎にネガ画像を複数の領域に分割し、該複数の領域のうち人物の顔に相当する領域を推定し、推定した領域を顔領域として抽出するようにしてもよい。
【０１１４】
更に、特願平6-265850号、特願平6-266598号に記載されているように、ネガ画像の測光によって得られた測光データに基づいてネガ画像中に存在する人物の各部に特有の形状パターン（例えば頭部の輪郭、顔の輪郭、顔の内部構造、胴体の輪郭等を表す形状パターン）の何れか１つを探索し、検出した形状パターンの大きさ、向き、検出した形状パターンが表す人物の所定部分と人物の顔との位置関係に応じて、人物の顔に相当すると推定される領域を設定する。また、検出した形状パターンと異なる他の形状パターンを探索し、先に設定した領域の、人物の顔としての整合性を求めて顔領域として抽出するようにしてもよい。
【０１１５】
また、ネガ画像の測光によって得られた測光データに基づき、各画素が、色座標上で明らかに背景に属する特定の色（例えば空や海の青、芝生や木の緑等）の範囲内に含まれているか否か判定し、前記特定の色範囲内と判断した画素のクラスタ（群）が存在している領域を画像中の非主要部に相当する領域と判断して除去し、残った領域を主要部に相当する領域（顔領域）として抽出してもよいし、或いは特願平6-265850号、特願平6-266598号に記載されているように、前述のようにしてネガ画像を複数の領域に分割した後に、各領域毎に非主要部領域としての特徴量（輪郭に含まれる直線部分の比率、線対称度、凹凸数、画像外縁との接触率、領域内の濃度コントラスト、領域内の濃度の変化パターンの有無等）を求め、求めた特徴量に基づいて各領域が非主要部領域か否か判定し非主要部と判断した領域を除去し、残った領域を主要部領域（顔候補領域）として抽出するようにしてもよい。
【０１１６】
また、上記では写真フィルムとしてネガフィルムを例に説明したが、これに限定されるものではなく、リバーサルフィルム等の他の写真フィルムを適用することも可能である。
【０１１７】
更に、上記では写真フィルムを透過した光を印画紙に照射することにより画像の露光を行う、所謂アナログ式の写真焼付装置を例に説明したが、これに限定されるものではなく、画像に応じて変調したレーザ光によって画像を走査露光する方式や、液晶パネルやＣＲＴ等の表示手段に画像を表示し、表示手段を透過した光又は表示手段から射出される光によって画像を露光する方式（所謂デジタルプリント方式）の写真プリンタに適用可能である。また、フィルム画像をディスプレイの表示面に複写（すなわち表示）する場合に本発明を適用することも可能である。更に、複写材料として、印画紙以外に普通紙やＯＨＰシート等を適用することも可能である。
【０１１８】
更に、本発明は１本の写真フィルム中に、同一露光量で露光すべき画像のグループが複数混在していた場合（例えばシリーズシーン信号によって指示された画像のグループと類似のシーンを撮影記録した画像のグループが混在している等の場合）にも適用可能であり、また複数本の写真フィルムに亘って同一露光量での露光が指示された場合にも適用可能である。また本発明を適用して同一又は類似の露光量で露光する画像は、例えば科学、医学、工業目的の写真画像や、短時間又は長期間に亘って撮影した画像（例えば定点観測による自然変化の撮影等）、同一条件下で撮影された複数の画像等であってもよい。
【０１１９】
【発明の効果】
以上説明したように本発明は、写真フィルムの情報記録部から読み取った情報に基づいて同一の複写条件で複写すべき複数のフィルム画像を選択し、写真フィルムのフィルムベース濃度及び基準濃度値に基づいて、複写画像の濃度を制御する濃度制御量を決定すると共に、複数のフィルム画像から求めた色バランス値に基づいて、複写画像の色を制御する色制御量を決定し、濃度制御量及び色制御量を用いて共通複写条件を演算し、選択した複数のフィルム画像を演算した共通複写条件で各々複写するようにしたので、同一の複写条件での複写が指示された複数の画像から適正な仕上りの複写画像を高い得率で得ることができる、という優れた効果を有する。
【０１２０】
また本発明は、色制御量として、フィルム画像の複写を行う写真フィルムと同一フィルム種の写真フィルムに記録された多数のフィルム画像を測光して求めた色バランス値に基づく色制御量を用いるので、フィルム種によって異なるフィルムベース濃度、三色カラーバランスを自動的に補正することによって、使用している写真焼付装置のプリント条件をそのまま使用することができ、撮影者の意図した濃度再現を意図通りに複写画像上に反映させることができる、という優れた効果を有する。
【０１２１】
また本発明は、フィルム画像の撮影時に露出を補正したことを表す情報が写真フィルムの情報記録部に記録されていた場合には、該情報が表すフィルム画像撮影時の露出補正量に従って共通複写条件を修正するようにしたので、撮影時に露出が補正されたフィルム画像からも、撮影者の意図に合致した仕上りの複写画像を高い得率で得ることができる、という効果を有する。
【０１２２】
また本発明は、同一の複写条件で複写すべき複数のフィルム画像のうち濃度が極端に高い又は低いフィルム画像については、前記フィルム画像の濃度に応じて共通複写条件を修正し、該修正した共通複写条件で複写するようにしたので、同一の複写条件で複写すべき複数のフィルム画像中に濃度が極端に高い又は低いフィルム画像が含まれている場合であっても、適正な仕上りの複写画像を高い得率で得ることができる、という効果を有する。
【図面の簡単な説明】
【図１】本実施形態に係る写真焼付装置の概略構成図である。
【図２】ネガフィルムを示す平面図である。
【図３】第１実施形態に係る写真焼付処理を示すフローチャートである。
【図４】色制御量を求めるための濃度値の規格化曲線の一例を示す線図である。
【図５】第２実施形態に係る共通露光量演算処理を示すフローチャートである。
【図６】第３実施形態に係る共通露光量演算処理を示すフローチャートである。
【図７】第４実施形態に係る共通露光量演算処理を示すフローチャートである。
【符号の説明】
Ｐ    印画紙
１０    写真焼付装置
１４    色補正フィルタ
２２    読取ヘッド
８６    制御装置
９８    磁気トラック
１００    ネガフィルム
【図１】
0003645384.tif 000003
【図２】
0003645384.tif 000004
【図３】
0003645384.tif 000005
【図４】
0003645384.tif 000006
【図５】
0003645384.tif 000007
【図６】
0003645384.tif 000008
【図７】
0003645384.tif 000009